(57)【要約】【課題】雌雄コネクタの嵌合状態を保持する嵌合保持手段を有し、電気的接触が安定し、且つ低背化が可能な基板接続用コネクタの提供を課題とする。【解決手段】第１及び第２コネクタ部１０，２０と、その嵌合状態を保持する嵌合保持手段３０とを備えている。嵌合保持手段３０は、第１コネクタ部１０における嵌合用の凹部１２における内面に設けられた係止部３１、及び第２コネクタ部２０を第１及び第２コネクタ部１０，２０の嵌合方向Ｙと交差する方向Ｘに付勢し、且つ導電性を有する弾性部３７と、第２コネクタ部２０における嵌合用凸部２５の外面に設けられ、第１及び第２の基板２，３の嵌合状態で係止部３１に係止される被係止部３２、及び弾性部３７に接触して弾性部３７を第１及び第２のコネクタ部１０，２０の嵌合方向Ｙと交差する方向Ｘに弾性変形させ、且つ導電性を有する電気的接触部４３と、を更に備える。【選択図】図１
2006210182.tif 000002
【特許請求の範囲】
【請求項１】
第１の基板（２）と第２の基板（３）とを間隔をおいて互いに重ねた状態で結合すると共に、前記基板（２，３）同士を電気的に接続するべく前記基板（２，３）同士の間に配置され、嵌合用の凹部（１２）、及び前記嵌合用の凹部（１２）における内面に設けられ前記第１の基板（２）に接続される第１の接続端子（１３）を有し、前記第１の基板（２）に取り付けられる第１のコネクタ部（１０）と、
前記嵌合用の凹部（１２）に嵌合される嵌合用の凸部（２５）、及び前記嵌合用の凸部（２５）における外面に設けられ前記第２の基板（３）及び前記第１の接続端子（１３）に接続される第２の接続端子（２３）を有し、前記第２の基板（３）に取り付けられる第２のコネクタ部（２０）と、
前記第１のコネクタ部（１０）における前記嵌合用の凹部（１２）に、前記第２のコネクタ部（２０）における前記嵌合用の凸部（２５）が嵌合された際にその嵌合状態を保持する嵌合保持手段（３０）と、を備えた基盤接続用コネクタ（１）において、
前記嵌合保持手段（３０）は、前記第１のコネクタ部（１０）における前記嵌合用の凹部（１２）における内面に設けられた係止部（３１）、及び前記第２のコネクタ部（２０）を前記第１及び第２のコネクタ部（１０，２０）の嵌合方向（Ｙ）と交差する方向（Ｘ）に付勢し、且つ導電性を有する弾性部（３７）と、
前記第２のコネクタ部（２０）における前記嵌合用の凸部（２５）の外面に設けられ、前記第１及び第２の基板（２，３）の嵌合状態で前記係止部（３１）に係止される被係止部（３２）、及び前記弾性部（３７）に接触して前記弾性部（３７）を前記第１及び第２のコネクタ部（１０，２０）の嵌合方向（Ｙ）と交差する方向（Ｘ）に弾性変形させ、且つ導電性を有する電気的接触部（４３）と、
を更に備える基板接続用コネクタ（１）。
【請求項２】
前記弾性部（３７）が前記第１の基板（２）におけるグランド回路に接続され、前記電気的接触部（４３）が前記第２の基板（３）におけるグランド回路に接続される請求項１に記載の基板接続用コネクタ（１）。
【請求項３】
前記第１のコネクタ部（１０）における嵌合用の凹部（１２）、及び前記第２のコネクタ部（２０）における前記嵌合用の凸部（２５）は、それぞれ嵌合面側から見て四角形の枠状に形成され、前記嵌合用の凹部（１２）及び前記嵌合用の凸部（２５）における前記四角形の四辺のうち、互いに対向する二辺に前記第１又は第２の接続用端子（１３，２３）が設けられ、他の互いに対向する二辺に前記嵌合保持手段（３０）が設けられている請求項１に記載の基板接続用コネクタ（１）。
【請求項４】
前記弾性部（３７）は、前記第１及び第２のコネクタ部（１０，２０）の嵌合方向（Ｙ）に対して交差する方向（Ｘ）の長さ（Ｌ）より前記嵌合方向（Ｙ）における長さ（ｂ）が短く形成され、且つ前記第２のコネクタ部（２０）に対して離間する方向に弾性変形可能な互いに対向する一対の板バネである請求項１に記載の基板接続用コネクタ（１）。
【請求項５】
前記係止部（３１）は前記被係止部（３２）を係止するための係止孔（３５）を有し、前記弾性部（３７）は前記係止孔（３５）の内縁から前記係止孔（３５）の内部に延出して形成されている請求項１に記載の基板接続用コネクタ（１）。
【請求項６】
前記電気的接触部（４３）は、前記第２のコネクタ部（２０）における外面から突出して形成され、前記被係止部（３２）は前記電気的接触部（４３）の基部側に形成されている請求項１に記載の基板接続用コネクタ（１）。
【発明の詳細な説明】
【技術分野】
【０００１】
本発明は、例えば携帯電話、ＤＶＣ（デジタルビデオカメラ）、ＤＳＣ（デジタルスチールカメラ）などに用いられる一対の基板同士を接続するのに好適な基板接続用コネクタに関する。
【背景技術】
【０００２】
携帯電話、ＤＶＣ、ＤＳＣ等の小型電子機器は、狭い空間内に複数の基板を配置する都合上、基板同士を重ねて配置し、これらの基板同士を電気的に接続する基板接続用コネクタが使用されている。
【０００３】
このような基板接続用コネクタは、接続すべき一対の基板のうち、一方の基板に取り付けられる雌型のコネクタと、他方の基板に取り付けられる雄型のコネクタとを有している。そして、これらの雌雄コネクタが嵌合されることによって、一対の基板が接続される。
【０００４】
従来、これらの雌雄コネクタの嵌合状態を保持するため、雌雄コネクタの一方に被係合部が設けられ、他方に上記被係合部を係止する係合部が設けられた基板接続用コネクタが提案されている（例えば、特許文献１参照。）。
【０００５】
上記係合部は突起を有している。また、上記被係合部は板バネを有し、この板バネの先端に上記係合部の突起に係止される爪が設けられている。
【０００６】
この基板接続用コネクタは、係合部の突起に被係合部の爪を係合させることによって、外部から衝撃が作用した場合でも、雌雄コネクタの嵌合状態が保持されるので、雌雄コネクタが不用意に外れるのを防止できる。
【特許文献１】特開２００４−５５３０６号公報
【特許文献２】特開２００４−５５４６３号公報
【特許文献３】特開平１１−７４０２４号公報
【特許文献４】実開平５−２３８５号公報
【発明の開示】
【発明が解決しようとする課題】
【０００７】
しかしながら、従来の基板接続用コネクタ（特許文献１参照）は、被係合部材における板バネの弾性力を適切に設定するために、板バネの長さが比較的長く設定されていた。しかもこの板バネが雌又は雄コネクタの嵌合方向、すなわち、高さ方向に延びていたので、コネクタの低背化が困難であった。
【０００８】
ここで、基板接続用コネクタを低背化するため、板バネの長さを短くすると、板バネの弾性力が制限されると共に、板バネの基部に作用する力が大きくなり、板バネが塑性変形してしまうおそれがある。
【０００９】
このように板バネが塑性変形すると、被係合部材と係合部材との係合力が弱くなり、雌雄コネクタの嵌合状態を保持できないという問題が発生する。
【００１０】
また、被係合部材及び係合部材は、一対の基板におけるグランド端子として使用することがある。この場合、上記のように被係合部材における板バネが塑性変形してその弾性が弱くなると、被係合部材と係合部材との接触力が弱くなる。このように被係合部と係合部との接触力が弱くなった場合、電気的接触が不安定となり、グランドの信頼性が低くなる
。
【００１１】
本発明は、このような問題に鑑みなされたもので、外力が作用しても雌雄コネクタの嵌合状態を保持できる嵌合保持手段を有し、且つ、低背化及び嵌合保持手段における係合部と被係合部との電気的接触を安定させることが可能な基板接続用コネクタの提供を課題とする。
【課題を解決するための手段】
【００１２】
本発明は、前記課題を解決するため、以下の手段を採用した。
（１）本発明は、
第１の基板と第２の基板とを間隔をおいて互いに重ねた状態で結合すると共に、前記基板同士を電気的に接続するべく、前記基板同士の間に配置され、嵌合用の凹部、及び前記嵌合用の凹部における内面に設けられ前記第１の基板に接続される第１の接続端子を有し、前記第１の基板に取り付けられる第１のコネクタ部と、
前記嵌合用の凹部に嵌合される嵌合用の凸部、及び前記嵌合用の凸部における外面に設けられ前記第２の基板及び前記第１の接続端子に接続される第２の接続端子を有し、前記第２の基板に取り付けられる第２のコネクタ部と、
前記第１のコネクタ部における前記嵌合用の凹部に、前記第２のコネクタ部における前記嵌合用の凸部が嵌合された際にその嵌合状態を保持する嵌合保持手段と、を備えたコネクタにおいて、
前記嵌合保持手段は、前記第１のコネクタ部における前記嵌合用の凹部における内面に設けられた係止部、及び前記第２のコネクタ部を前記第１及び第２のコネクタ部の嵌合方向と交差する方向に付勢し、且つ導電性を有する弾性部と、
前記第２のコネクタ部における前記嵌合用の凸部の外面に設けられ、前記第１及び第２の基板の嵌合状態で前記係止部に係止される被係止部  、及び前記弾性部に接触して前記弾性部を前記第１及び第２のコネクタ部の嵌合方向と交差する方向に弾性変形させ、且つ導電性を有する電気的接触部と、
を更に備える。
【００１３】
本発明では、第１のコネクタ部に設けられた係止部に、第２のコネクタ部に設けられた被係止部が係止されるので、基板接続用コネクタに外力が作用した場合でも、第１のコネクタ部と第２のコネクタ部との嵌合状態が保持され不用意に外れるのを防止できる。
【００１４】
また、第１及び第２のコネクタ部における嵌合状態を保持する係止部及び被係止部と、電気的に接触する弾性部及び電気的接触部とが、互いに別個に設けられているので、係止部及び被係止部の係合状態や係止部及び被係止部の変形などに拘わらず、弾性部と電気的接触部との電気的接触が安定する。
【００１５】
（２）前記弾性部が前記第１の基板におけるグランド回路に接続され、前記電気的接触部が前記第２の基板におけるグランド回路に接続されるようにできる。この場合は、上記のように弾性部と電気的接触部との電気的接触が安定することから、グランドの信頼性が高くなる。
【００１６】
（３）前記第１のコネクタ部における嵌合用の凹部、及び前記第２のコネクタ部における前記嵌合用の凸部は、それぞれ嵌合面側から見て四角形の枠状に形成され、前記嵌合用の凹部及び前記嵌合用の凸部における前記四角形の四辺のうち、互いに対向する二辺に前記第１又は第２の接続用端子が設けられ、他の互いに対向する二辺に前記嵌合保持手段が設けられるのが好ましい。
【００１７】
この場合は、第１及び第２のコネクタ部における長辺部分の嵌合が、第１及び第２の接
続端子における接触力によって保持され、第１及び第２のコネクタ部における短辺部分の嵌合が嵌合保持手段によって保持されるので、第１及び第２のコネクタ部が全周に亘って確実に嵌合される。
【００１８】
（４）前記弾性部は、前記第１のコネクタ部と前記第２のコネクタ部との嵌合方向に対して交差する方向の長さより前記嵌合方向における長さが短く形成され、且つ前記第２のコネクタ部に対して離間する方向に弾性変形可能な互いに対向する一対の板バネであるのが好ましい。
【００１９】
この場合は、弾性部の前記嵌合方向における長さ、つまり高さを小さくできるので、これを用いた第１のコネクタ部、及び第１のコネクタ部を用いた基板接続用コネクタを低背化できる。
【００２０】
（５）前記係止部は前記被係止部を係止する係止孔を有し、前記弾性部は前記被係止孔の内縁から前記係止孔の内部に延出して形成されているのが好ましい。
【００２１】
この場合は、係止部と弾性部とを一体的に形成できるので、部品点数を減少できる。
【００２２】
（６）前記電気的接触部は、前記第２のコネクタ部における外面から突出して形成され、前記被係止部は前記電気的接触部の基部に形成されていることが好ましい。この場合は、被係止部と電気的接触部とを一体的に形成できるので、部品点数を減少できる。
【発明の効果】
【００２３】
以上説明したように、本発明によれば、第１コネクタ部と第２コネクタ部との嵌合が保持されるので、基板接続用コネクタに外力が作用した場合に、第１コネクタ部と第２コネクタ部とが不用意に外れるのを防止できる。
【００２４】
また、嵌合保持手段における第１及び第２コネクタ部の嵌合を保持する係止部及び被係止部と、電気的接触を図るべき弾性部と電気的接触部とが互いに別個に形成されているので、係止部と被係止部との係合状態や係止部及び被係止部の変形に拘わらず、弾性部と電気的接触部とにおける電気的接触の安定性が向上する。
【００２５】
このため、弾性部と電気的接触部とを例えばグランド端子として使用することにより、グランドの信頼性が向上する。
【００２６】
また、弾性部を一対の板バネとし、これらの板バネにおける第１及び第２のコネクタ部の嵌合方向における長さを短く形成した場合には、第１のコネクタ部における嵌合方向の高さを低くくでき、この第１のコネクタ部を用いた基板接続用コネクタの低背化が可能になる。
【発明を実施するための最良の形態】
【００２７】
以下、本発明に係る基板接続用コネクタの実施の形態を図１から図１０を参照して詳細に説明する。
【００２８】
図１は、本発明に係る基板接続用コネクタ１を示す。この基板接続用コネクタ１は、第１及び第２基板２，３（図１０参照）同士を間隔をおいて重ねて結合すると共に、第１及び第２基板２，３同士を電気的に接続するため、第１及び第２基板２，３の間に配置される。
【００２９】
この基板接続用コネクタ１は、雌型の第１コネクタ部１０と、雄型の第２コネクタ部２
０とを有している。このうち、第１コネクタ部１０は、接続すべき第１及び第２基板２，３のうち、一方の第１基板２に取り付けられるリセプタクルハウジング１１を有している。
【００３０】
このリセプタクルハウジング１１には、第２コネクタ部２０を嵌合するべくリセプタクルハウジング１１の外周に沿って設けられ、嵌合面側（矢印Ｙ方向）からみて長方形の枠状に形成された嵌合用凹部１２と、この嵌合用凹部１２の互いに対向する２辺部分の内側（本例では長辺部）に配置された第１接続端子１３とが設けられている。
【００３１】
本例では、上記リセプタクルハウジング１１が直方体状に形成されている。上記第１接続端子１３は、リセプタクルハウジング１１の外側面１１ａから、凹部１２の内側に形成された凸部１４の側面１４ａまで連続している。
【００３２】
また、本例では、第１接続端子１３が、嵌合用凹部１２の長辺部分にそれぞれ複数個ずつ設けられているが、第１接続端子１３は一個又は２個以上設けることができる。
【００３３】
上記第２コネクタ部２０は、図２に示すように、第１コネクタ部１０におけるリセプタクルハウジング１１より小さい直方体状のプラグハウジング２１を有している。このプラグハウジング２１には、上記嵌合用凹部１２の内側に形成された凸部１４と嵌合可能な構造を有する第２コネクタ部２０の凹部２２が設けられている。この凹部２２の外周には、上記嵌合用凹部１２と嵌合可能な構造を有する嵌合用凸部２５が設けられている。
【００３４】
この嵌合用凸部２５の互いに対向する２辺部（本例では長辺部）には、それぞれ第２接続端子２３が第１コネクタ部１０における第１接続端子１３と同一ピッチで同数設けられている。本例では、第２接続端子２３は、プラグハウジング２１の外側面２５ａから、第２コネクタ部２０の凹部２２の内側面２２ａまで連続している。
【００３５】
更に、図１に示すように、第１コネクタ部１０の嵌合用凹部１２における第１接続端子１３が設けられていない方の、互いに対向する短辺部（本例では短辺部）の内面に、嵌合保持手段３０を構成する係止部３１が設けられている。また、第２コネクタ部２０における第２の接続端子２３が設けられていない方の、互いに対向する２辺部（本例では短辺部）の外面に、上記嵌合保持手段３０を構成する被係止部３２が設けられている。つまり、係止部３１と被係止部３２によって、第１コネクタ部１０と第２コネクタ部２０との嵌合状態を保持する嵌合保持手段３０が構成されている。
【００３６】
上記係止部３１は、図３に示すように、金属製の細長い平板によって略コ字状に形成されている。これにより、係止部３１には、その中央に比較的長い平板部３３が設けられ、この平板部３３の両側に略直角に折り曲げられた比較的短い側板部３４，３４が設けられている。
【００３７】
係止部３１の平板部３３には、図４に示すように、長手方向（つまり本例では矢印Ｘ方向）に沿って延びる係止孔３５と、この係止孔３５内に延出する弾性部である一対の板バネ３７，３７とが設けられている。
【００３８】
上記一対の板バネ３７，３７は、それぞれの先端３７ａ，３７ａを互いに対向させて同一面上に且つ第１コネクタ部１０と第２コネクタ部２０との嵌合方向Ｙに対して交差する方向、本例では直交する方向Ｘに延びている。
【００３９】
すなわち、これらの板バネ３７，３７は、第１コネクタ部１０と第２コネクタ部２０との嵌合方向Ｙに対して交差する方向、本例では直交する方向Ｘの長さＬが比較的長く、上
記嵌合方向Ｙの長さｂが上記の長さＬより短く形成されている。
【００４０】
また、上記側板部３４，３４の一端（図４中の下端）には、側方に延出する支持部３８，３８が設けられている。これらの支持部３８，３８は、嵌合用凹部１２における外側壁部１１ａ（図５参照）の下端面１１ｂに近接して配置され、第１基板２にはんだ付けされる。
【００４１】
上記第１コネクタ部１０のリセプタクルハウジング１１に、上記係止部３１を取り付ける際には、図５に示すように、係止部３１の平板部３３及び側板部３４，３４を、リセプタクルハウジング１１の嵌合用凹部１２の嵌合面と反対側（図５中の下側）から、嵌合用凹部１２の内面に連通する溝５０（図６参照）に圧入する。
【００４２】
これにより、図６に示すように、係止部３１における平板部３３が、第１コネクタ部１０における嵌合用凹部１２内に設けられた位置決め用凹部４５（図５参照）内に配置される。そして、板バネ３７，３７の一側面３７ｂ，３７ｂが、嵌合用凹部１２内に露出された状態で固定される。
【００４３】
上記第２コネクタ部２０の被係止部３２は、図７に示すように、金属製の平板が折り曲げられて上記係止部３１より小さい略コ字状に形成されている。これにより、被係止部３２には、四角形の中央部４０と、この中央部４０の両端から中央部４０と直交する方向に延び、且つ中央部４０より高さの低い側部４１，４１とが設けられている。側部４１，４１の先端には、中央部４０と平行な方向に突出する係止片４７，４７が設けられている。
【００４４】
被係止部３２の中央部４０における一端（図７中の上端）には、側部４１と反対側に突出する支持部４２が設けられている。また、中央部４０における上記支持部４２と反対側の端部側には、断面が湾曲し第２コネクタ部の反対側に突出した電気的接触部である係止用突起４３が設けられている（図９参照）。
【００４５】
この被係止部３２を上記第２コネクタ部２０のプラグハウジング２１に取り付ける際には、図８に示すように、被係止部３２の中央部４０を、プラグハウジング２１における短辺側の端部に設けられた位置決め用凹部４６に圧入する。これと同時に、側部４１の係止片４７，４７を位置決め用凹部４６より内側に設けられた孔４８，４８内に圧入して係止させる。
【００４６】
これによって、図９に示すように、被係止部３２における中央部４０が、第２コネクタ部２０のプラグハウジング２１における短辺側の端部に露出し、且つ中央部４０の一端に設けられた支持部４２と、中央部４０の他端側に設けられた電気的接触部である係止用突起４３とが、外側に突出した状態で固定される。支持部４２は、第２基板３（図１０参照）にはんだ付けされる。
【００４７】
次に、この基板接続用コネクタ１の作用を説明する。図１０は、基板接続用コネクタ１の第１コネクタ部１０を第１基板２に取り付け、第２コネクタ部２０を第２基板３に取り付けて、第１コネクタ部１０と第２コネクタ部２０とを嵌合し、第１基板２及び第２基板３を所定の間隔をおいて互いに平行に重ねた状態を示す断面図である。
【００４８】
第１コネクタ部１０と第２コネクタ部２０とを嵌合させた状態では、第２コネクタ部２０における被係止部３２の係止用突起４３が、第１コネクタ部１０における係止部３１の係止孔３５内に挿入され、係止孔３５の上端縁３５ａに係止される。
【００４９】
これにより、第２コネクタ部２０に第１コネクタ部１０との嵌合を外す方向Ｚの外力が
作用した場合でも、第２コネクタ部２０が第１コネクタ部１０から不用意に外れるのを防止できる。従って、第１コネクタ部１０と第２コネクタ部２０との嵌合を確実に保持できる。
【００５０】
また、このときには、係止孔３５内に延出している板バネ３７，３７が、被係止部３２における係止用突起４３によって第２のコネクタ部２０から離間する方向に付勢されて弾性変形する。
【００５１】
すなわち、上記係止部３１の板バネ３７，３７と、被係止部３２の係止用突起４３とが、上記のように板バネ３７，３７の弾性復元力で強く接触している。
【００５２】
ここで、係止部３１を第１基板２のグランド回路（図示せず）に接続し、被係止部３２を第２基板３におけるグランド回路に接続することにより、係止部３１と被係止部３２とをグランド端子として使用できる。
【００５３】
また、上記のように係止部３１の板バネ３７，３７と、被係止部３２の係止用突起４３とが板バネ３７，３７の弾性復元力によって強く接触しているので、その電気的接触が安定する。
【００５４】
従って、係止部３１及び被係止部３２を、例えばグランド端子などの接続端子として用いた場合、係止部３１及び被係止部３２の係合状態や、係止部３１及び被係止部３２の変形に拘わらず、グランドなどの信頼性が向上する。
【００５５】
更に、上記のように、基板接続用コネクタ１の両端部に、それぞれ一対の板バネ３７，３７が設けられ、片側につき２個ずつ、合計４個の板バネ３７，３７が係止用突起４３に強く接触している。このため、万一、第２コネクタ部２０と第１コネクタ部１０とが所定の相対位置関係から傾いた場合でも、何れかの板バネ３７が電気的接触部４３に強く接触するので、グランド等の電気的な信頼性が更に向上する。
【００５６】
また、第１コネクタ部１０に設けられた板バネ３７，３７は、第１及び第２コネクタ部１０，２０の嵌合方向に対して交差する方向、本例では直交する方向Ｘの長さＬより、嵌合方向Ｙの長さｂが短いので、第１コネクタ部１０の嵌合方向における高さを低背化できる。従って、この第１コネクタ部１０を用いた基板接続用コネクタ１も低背化できる。
【００５７】
また、第１接続端子１３及び第２接続端子２３の数が少ない場合には、そのままではこれらの接続端子１３，２３の接触力による第１コネクタ部１０と第２コネクタ部２０との嵌合力（抜去力）が小さくなる。
【００５８】
これに対し、本発明の基板接続用コネクタ１では、第１接続端子１３及び第２接続端子２３の数が少ない場合でも、嵌合保持手段３０によって第１コネクタ部１０と第２コネクタ部２０との抜去力を適切に保持できる。
【００５９】
更に、従来、第１接続端子及び第２接続端子の接触力のみによって、第１コネクタ部と第２コネクタ部との嵌合を保持した基板接続用コネクタもあるが、このような基板接続用コネクタでは、嵌合力を大きくするため、第１接続端子及び第２接続端子の接触力を大きくする必要があり、第１接続端子と第２接続端子に簡易な係合機構を設けることがあった。
【００６０】
このように、第１接続端子及び第２接続端子に簡易な係合機構を設けた基板接続用コネクタでは、第１コネクタ部と第２コネクタ部とを嵌合する際、或いは嵌合を外す際に、第
１接続端子及び第２接続端子の係合機構に嵌合方向の力が作用し、第１接続端子又は第２接続端子が捲れることがあった。
【００６１】
これに対して、本発明の基板接続用コネクタ１は、嵌合保持手段３０によって第１コネクタ部１０と第２コネクタ部２０との嵌合が保持されるので、第１接続端子１３又は第２接続端子２３に係合機構を設ける必要がない。
【００６２】
従って、第１コネクタ部１０と第２コネクタ部２０とを嵌合させる際、又は嵌合を外す際に、第１接続端子１３及び第２接続端子２３が捲れるおそれがなくなる。
【００６３】
なお、第１コネクタ部１０と第２コネクタ部２０とを嵌合する際に、被係止部３２における係止用突起４３を係止孔３５内に挿入しやすくするため、係止部３１における上端縁３１ａに、面取りを施すのが好ましい。また、係止孔３５における上端縁３５ａの下端は、電気的接触部４３の係止を確実にするため、略直角又は鋭角に形成するのが好ましい。
【００６４】
また、上記の実施形態では、板バネ３７，３７が第１コネクタ部１０と第２コネクタ部２０との嵌合方向Ｙに対して直交する方向に長く形成されている場合について説明したが、板バネ３７，３７は上記嵌合方向Ｙに対して適宜な角度、例えば９０度±１０度の範囲で交差する方向に長く形成すればよい。この場合も、板バネ３７，３７の上記嵌合方向Ｙにおける長さｂを小さくできるので、上記と同様な作用効果がある。
【図面の簡単な説明】
【００６５】
【図１】本実施形態に係る基板接続用コネクタの第１コネクタ部と第２コネクタ部とを分離した状態を示す斜視図である。
【図２】本実施形態に係る第２コネクタ部を示す斜視図であり、図１のＡ矢視図である。
【図３】本実施形態に係る係止部を示す斜視図である。
【図４】本実施形態に係る係止部を示す正面図であり、図３のＢ矢視図である。
【図５】本実施形態に係るリセプタクルハウジングに係止部を取り付ける方法を説明する斜視図である。
【図６】本実施形態に係る第１コネクタ部を示す断面図であり、図１のＣ−Ｃ断面図である。
【図７】本実施形態に係る被係止部を示す斜視図である。
【図８】本実施形態に係るプラグハウジングに被係止部を取り付ける方法を説明する斜視図である。
【図９】本実施形態に係る第２コネクタ部を示す断面図であり、図２のＤ−Ｄ断面図である。
【図１０】本実施形態に係る基板接続用コネクタの第１コネクタ部と第２コネクタ部との嵌合状態を示す断面図である。
【符号の説明】
【００６６】
１ 基板接続用コネクタ
２，３ 基板
１０  第１コネクタ部
１１  リセプタクルハウジング
１１ａ  外側面
１１ｂ  下端面
１２  嵌合用凹部
１３  第１接続端子
１４  嵌合用凹部内の凸部
１４ａ  側面
２０  第２コネクタ部
２１  プラグハウジング
２２  第２コネクタの凹部
２２ａ  内側面
２３  第２接続端子
２５  嵌合用凸部
２５ａ  外側壁部
３０  嵌合保持手段
３１  係止部
３１ａ  上端縁
３２  被係止部
３３  平板部
３４  側板部
３５  係止孔
３５ａ  上端縁
３７  板バネ（弾性部）
３７ａ  先端
３７ｂ  一側面
３８  支持部
４０  中央部
４１  側部
４２  支持部
４３  係止用突起（電気的接触部）
４５，４６  係止部の位置決め用凹部
４７  係止片
４８  孔
５０  溝
ｂ  板バネの嵌合方向の長さ
Ｌ  板バネの嵌合方向と交差する方向の長さ
Ｘ  嵌合方向に交差する方向
Ｙ  嵌合方向
【図１】
2006210182.tif 000003
【図２】
2006210182.tif 000004
【図３】
2006210182.tif 000005
【図４】
2006210182.tif 000006
【図５】
2006210182.tif 000007
【図６】
2006210182.tif 000008
【図７】
2006210182.tif 000009
【図８】
2006210182.tif 000010
【図９】
2006210182.tif 000011
【図１０】
2006210182.tif 000012